(57)【特許請求の範囲】
【請求項１】
遊技を行う遊技領域と、回動して遊技球を弾く打撃槌と、前記打撃槌によって弾かれた遊技球を前記遊技領域に案内するレール部とを備え、前記打撃槌のうち遊技球に衝突する槌先端部に所定の工具を用いて外力を加え、前記遊技球への衝突位置を調節可能とした弾球遊技機において、
前記打撃槌の後面側に配置されて前記打撃槌を回動可能に軸支するベース部材を設け、そのベース部材に遊技球を１つだけ誘導可能な幅の誘導路を有した誘導路付レール部を前記レール部の少なくとも一部として固定すると共に、前記誘導路の幅方向の中心に前記槌先端部を配置し、
前記ベース部材に陥没形成されて、その奥面に前記誘導路付レール部の一側面が宛がわれて固定されると共に、前記誘導路付レール部上の遊技球の一部を受容可能な溝部と、
前記ベース部材のうち、前記溝部が形成された面において、前記槌先端部と対向可能な位置に陥没形成されて、前記工具の一部を受容可能な調節用凹部とを備えたことを特徴とする弾球遊技機。
【請求項２】
前記ベース部材には、そのベース部材を弾球遊技機に螺子止めするための取付孔が貫通形成され、前記ベース部材のうち前記取付孔の形成部分に比べて前記調節用凹部の肉厚を薄くしたことを特徴とする請求項１に記載の弾球遊技機。
【請求項３】
前記ベース部材は板形状をなし、前記ベース部材のうち前記取付孔の形成部分に比べて前記調節用凹部の肉厚を略半分にしたことを特徴とする請求項２に記載の弾球遊技機。
【請求項４】
前記槌先端部の通過領域の一部のみが前記ベース部材によって後面側から覆われ、前記槌先端部の通過領域のうち前記ベース部材によって後面側から覆われていない部分を前面側から覆うカバー部材を設けたことを特徴とする請求項１乃至３の何れかに記載の弾球遊技機。
【請求項５】
前記カバー部材の外面に回動操作可能なハンドル部が設けられ、
前記ハンドル部の操作に応じて前記打撃槌による遊技球の発射力を変更する発射力調節手段を備えたことを特徴とする請求項４に記載の弾球遊技機。
【請求項６】
弾球遊技機は、遊技枠体に遊技機本体を組み付けてなり、
前記ベース部材及び前記カバー部材は、前記遊技枠体に固定されたことを特徴とする請求項４又は５に記載の弾球遊技機。
【請求項７】
前記誘導路付レール部は、板金を断面略Ｍ字形に屈曲してなり、
前記誘導路付レール部のうち幅方向で対向した１対の板金側壁部のうち一方の板金側壁部は、前記ベース部材に宛がわれると共に位置決貫通孔を備える一方、他方の前記板金側壁部は、前記位置決貫通孔との対向位置に前記位置決貫通孔より小径の螺子挿通孔を備え、
前記ベース部材から突出して前記位置決貫通孔を貫通しかつ先端面が前記螺子挿通孔の開口縁に前記他方の板金側壁部の内側から対向した取付支柱を設け、その取付支柱の中心部に形成した螺子孔に、外側から前記螺子挿通孔に通した螺子を螺合したことを特徴とする請求項１乃至６の何れかに記載の弾球遊技機。
【請求項８】
前記槌先端部は、ピンと、前記ピンの外側に嵌合されて前記ピンの先端より突出したコイルスプリングとを備えてなることを特徴とする請求項１乃至７の何れかに記載の弾球遊技機。
【発明の詳細な説明】
【技術分野】
【０００１】
本発明は、打撃槌により遊技球を遊技領域へと弾いて遊技を行う弾球遊技機に関する。
【背景技術】
【０００２】
この種の従来の弾球遊技機は、打撃槌をベース部材に回動可能に軸支して備え、その打撃槌に突出形成された槌先端部を遊技球に衝突させて遊技球を弾く構成になっていた（例えば、特許文献１参照）。
【特許文献１】特開２００２−３５２４８号公報（段落［０００７］、第１図、第２図）
【発明の開示】
【発明が解決しようとする課題】
【０００３】
ところで、部品精度のばらつきや組付誤差等により、槌先端部が遊技球の中心からずれた位置に衝突する場合には、打撃槌の本体に対する槌先端部の角度調節を行う必要がある。しかしながら、従来の弾球遊技機では、工具がベース部材に干渉して、調整作業を行うことが困難であった。
【０００４】
本発明は、上記事情に鑑みてなされたもので、槌先端部の調整作業を容易に行うことが可能な弾球遊技機の提供を目的とする。
【課題を解決するための手段】
【０００５】
上記目的を達成するためになされた請求項１の発明に係る弾球遊技機は、遊技を行う遊技領域と、回動して遊技球を弾く打撃槌と、打撃槌によって弾かれた遊技球を遊技領域に案内するレール部とを備え、打撃槌のうち遊技球に衝突する槌先端部に所定の工具を用いて外力を加え、遊技球への衝突位置を調節可能とした弾球遊技機において、打撃槌の後面側に配置されて打撃槌を回動可能に軸支するベース部材を設け、そのベース部材に遊技球を１つだけ誘導可能な幅の誘導路を有した誘導路付レール部をレール部の少なくとも一部として固定すると共に、誘導路の幅方向の中心に槌先端部を配置し、ベース部材に陥没形成されて、その奥面に誘導路付レール部の一側面が宛がわれて固定されると共に、誘導路付レール部上の遊技球の一部を受容可能な溝部と、ベース部材のうち、溝部が形成された面において、槌先端部と対向可能な位置に陥没形成されて、工具の一部を受容可能な調節用凹部とを備えたところに特徴を有する。
【０００６】
請求項２の発明は、請求項１に記載の弾球遊技機において、ベース部材には、そのベース部材を弾球遊技機に螺子止めするための取付孔が貫通形成され、ベース部材のうち取付孔の形成部分に比べて調節用凹部の肉厚を薄くしたところに特徴を有する。
【０００７】
請求項３の発明は、請求項２に記載の弾球遊技機において、ベース部材は板形状をなし、ベース部材のうち取付孔の形成部分に比べて調節用凹部の肉厚を略半分にしたところに特徴を有する。
【０００８】
請求項４の発明は、請求項１乃至３の何れかに記載の弾球遊技機において、槌先端部の通過領域の一部のみがベース部材によって後面側から覆われ、槌先端部の通過領域のうちベース部材によって後面側から覆われていない部分を前面側から覆うカバー部材を設けたところに特徴を有する。
【０００９】
請求項５の発明は、請求項４に記載の弾球遊技機において、カバー部材の外面に回動操作可能なハンドル部が設けられ、ハンドル部の操作に応じて打撃槌による遊技球の発射力を変更する発射力調節手段を備えたところに特徴を有する。
【００１０】
請求項６の発明は、請求項４又は５に記載の弾球遊技機において、弾球遊技機は、遊技枠体に遊技機本体を組み付けてなり、ベース部材及びカバー部材は、遊技枠体に固定されたところに特徴を有する。
【００１２】
請求項７の発明は、請求項１乃至６の何れかに記載の弾球遊技機において、誘導路付レール部は、板金を断面略Ｍ字形に屈曲してなり、誘導路付レール部のうち幅方向で対向した１対の板金側壁部のうち一方の板金側壁部は、ベース部材に宛がわれると共に位置決貫通孔を備える一方、他方の板金側壁部は、位置決貫通孔との対向位置に位置決貫通孔より小径の螺子挿通孔を備え、ベース部材から突出して位置決貫通孔を貫通しかつ先端面が螺子挿通孔の開口縁に他方の板金側壁部の内側から対向した取付支柱を設け、その取付支柱の中心部に形成した螺子孔に、外側から螺子挿通孔に通した螺子を螺合したところに特徴を有する。
【００１４】
請求項８の発明は、請求項１乃至７の何れかに記載の弾球遊技機において、槌先端部は、ピンと、ピンの外側に嵌合されてピンの先端より突出したコイルスプリングとを備えてなるところに特徴を有する。
【発明の効果】
【００１５】
［請求項１の発明］
請求項１の構成によれば、ベース部材に形成した調節用凹部の深さ分だけ、ベース部材と槌先端部との間の空間が広がるので、工具を用いた槌先端部の調整作業を従来より容易に行うことが可能になる。また、本発明の構成によれば、遊技球に衝突する槌先端部を備えた打撃槌と、遊技球を打撃可能な位置に位置決めする誘導路を備えた誘導路付レール部とが共に同じベース部材に組み付けられているので、槌先端部と遊技球の中心との位置ずれが抑えられる。さらに、本発明の構成では、ベース部材に溝部を陥没形成して、その溝部の奥面に誘導路付レール部の一側面を宛がって固定したので、ベース部材からの誘導路付レール部の突出量を抑えることができる。
【００１６】
［請求項２及び３の発明］
請求項２の構成によれば、ベース部材のうち螺子止め部分の強度を確保することができる。ここで、ベース部材が板形状である場合には、請求項３の構成のように、取付孔の形成部分に比べて調節用凹部の肉厚を略半分にすればよい。
【００１７】
［請求項４の発明］
請求項４の構成によれば、槌先端部の通過領域のうちベース部材によって後面側から覆われていない部分をカバー部材によって前面側から覆ったので、ベース部材より奥側に異物が入り込むことを防ぐことができる。
【００１８】
［請求項５の発明］
請求項５の構成によれば、カバー部材の外面に備えたハンドル部を操作して、遊技球の発射力を変更することができる。
【００１９】
［請求項６の発明］
請求項６の構成によれば、遊技機本体を遊技枠体から外して新規なものに交換する際に、カバー部材及びベース部材さらにはベース部材に組み付けられた打撃槌等の部品を流用することができる。
【００２１】
［請求項７の発明］
請求項７の構成によれば、ベース部材から突出した取付支柱が、断面略Ｍ字形の誘導路付レール部における一方の板金側壁部の位置決貫通孔を貫通し、他方の板金側壁部の螺子挿通孔の開口縁に内側から対向する。そして、その取付支柱の中心部に形成した螺子孔に外側から螺子を螺合することで、他方の板金側壁部が、螺子のヘッド部と取付支柱の先端面とに挟まれて固定され、一方の板金側壁部が、取付支柱の基端部によって位置決めされかつ支持される。
【００２３】
［請求項８の発明］
請求項８の構成によれば、槌先端部に備えたコイルスプリングの弾発力を利用して、遊技球を弾くことができる。
【発明を実施するための最良の形態】
【００２４】
以下、本発明の弾球遊技機としてのパチンコ遊技機１０に係る一実施形態を、図１〜図１７に基づいて説明する。図１に示すように、パチンコ遊技機１０は、誘導レール１２（本発明に係る「レール部」に相当する）に囲まれた遊技領域Ｒ１を有し、その遊技領域Ｒ１内に液晶表示部３２を備えている。誘導レール１２は帯状の板金を略円形に湾曲させてなり、遊技板１１の前面から起立している。また、液晶表示部３２は、遊技板１１に貫通形成した略矩形の表示窓１１Ｗに、遊技板１１の後面側から表示装置３０の液晶表示画面３０Ｇを宛がって構成されている。
【００２５】
液晶表示部３２は、遊技領域Ｒ１のうち上寄りかつ向かって右側寄りに配置され、主にその液晶表示部３２の上側、左側、下側に遊技球が流下可能なスペースが確保されている。液晶表示部３２の下側スペースには、その左右方向の中央に、第１及び第２の始動入賞口１４Ａ，１４Ｂ、大入賞口１５及びアウト口１６が、上から順に間隔を開けて並べて設けられ、左右両側部には、誘導レール１２に沿って一般入賞口２０，２１及びサイドランプ２２，２２がそれぞれ設けられている。また、液晶表示部３２の左側スペースには、始動ゲート１８と風車１９とが上下に並べて設けられている。さらに、風車１９の下方には、サイドランプ２２と一体に、普通図柄表示部１８Ｈが設けられている。これら各種入賞口１４Ａ，１４Ｂ，１５，２０，２１，表示装置３０等の役物以外に、遊技領域Ｒ１には、遊技球と当接して流下方向を様々に変化させることが可能な障害釘が分散配置されている。
【００２６】
上記した役物の詳細は、以下のようである。一般入賞口２０，２１は、所謂、ポケット構造をなし、遊技球が丁度１つ入球可能な大きさで上方に開口している。一般入賞口２０，２１へ入球すると、その遊技球は遊技板１１の裏側に取り込まれ、代わりに所定数の賞球がパチンコ遊技機１０の前面に備えた上皿２６に払い出される。
【００２７】
始動ゲート１８は、遊技球が潜って通過可能な門形構造をなし、通過した遊技球は始動ゲート１８に内蔵された普通図柄始動スイッチによって検出される。この検出信号に基づいて、普通図柄表示部１８Ｈにおいて図柄が変動表示される。具体的には、「０」〜「９」までの数字からなる数字図柄が所定期間に亘って変動表示された後、所定の数字図柄が停止表示される。
【００２８】
第１及び第２の始動入賞口１４Ａ，１４Ｂは、上下方向に並んで配置されている。各始動入賞口１４Ａ，１４Ｂは、共に遊技板１１から突出した部材の上面に開口を備えた、所謂、ポケット構造をなしている。そして、各始動入賞口１４Ａ，１４Ｂに入った遊技球は、遊技板１１に設けた図示しない貫通孔を通って、遊技板１１の裏側に回収される。
【００２９】
上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、普通図柄表示部１８Ｈで停止表示された数字図柄が奇数になると、遊技板１１の裏に設けたソレノイドが駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００３０】
各始動入賞口１４Ａ，１４Ｂに遊技球が入賞すると、各始動入賞口１４Ａ，１４Ｂ内に設けた図示しない始動口センサが遊技球を検出し、その検出信号に基づいて、例えば、４個の遊技球が上皿２６に払い出されると共に、表示装置３０の液晶表示部３２において図柄が変動表示される。具体的には、液晶表示部３２には、通常、３つの左、中、右の特別図柄３２Ａ，３２Ｂ，３２Ｃが横並びに表示されている。これら各特別図柄３２Ａ，３２Ｂ，３２Ｃは、例えば、「０」〜「１１」の数字を表記した複数種類のもので構成されており、通常は、各特別図柄３２Ａ，３２Ｂ，３２Ｃごと、所定の種類のものが停止表示されている。そして、始動入賞口１４Ａ，１４Ｂに遊技球が入賞したときに、これら３つの特別図柄３２Ａ，３２Ｂ，３２Ｃが、上下方向にスクロール表示され、所定時間後に、例えば、左、中、右の順で各特別図柄３２Ａ，３２Ｂ，３２Ｃが停止表示される。このとき、例えば、全ての特別図柄３２Ａ，３２Ｂ，３２Ｃが同じ図柄、即ち、ぞろ目になった場合に、遊技が「大当たり状態」になる。なお、液晶表示部３２において特別図柄３２Ａ，３２Ｂ，３２Ｃが変動表示又は「大当たり状態」の最中に始動入賞口１４Ａ，１４Ｂに入賞した場合、その入賞球は最大で４個まで保留記憶され、特別図柄３２Ａ，３２Ｂ，３２Ｃが停止表示又は「大当たり状態」が終了すると、その保留記憶に基づいて再び、特別図柄３２Ａ，３２Ｂ，３２Ｃが変動表示される。
【００３１】
大入賞口１５は、横長矩形に形成されて、常には、可動扉１５Ｔにて閉塞されている。パチンコ遊技機１０が「大当たり状態」になると、遊技板１１の裏に設けた図示しないソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００３２】
大入賞口１５の内部には、継続入賞口と計数入賞口とが設けられている。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた特定領域センサが遊技球の入賞を検出すると、前述した終了条件を満たしてラウンドが終了した後で、連続して次のラウンドが実行される。また、計数入賞口内に設けたカウントセンサが遊技球の入賞を検出すると、継続入賞口への入賞球とあわせて、大入賞口１５への入賞球がカウントされ、これらが前記したように計１０個に達したか否かがチェックされる。なお、大入賞口１５に遊技球が入賞すると、例えば、１５個の遊技球が上皿２６に払い出される。
【００３３】
図２に示すように、パチンコ遊技機１０は、遊技機本体８１と、その遊技機本体８１が着脱可能に組み付けられる遊技枠体８０とから構成されている。また、遊技機本体８１は、遊技板アッシ１１Ａと機構板アッシ８４Ａとから構成されている。
【００３４】
遊技板アッシ１１Ａは、遊技板１１に上記した始動ゲート１８、風車１９等の各種役物を組み付けると共に、後面側に各種制御装置を組み付けてなる。具体的には、遊技板１１の後面側の上寄り位置には、前記した表示装置３０が取り付けられ、その後面には、図示しないランプ制御装置及び音声制御装置が取り付けられている。そして、これらにより役物に備えたランプの点灯制御、スピーカ１３（図１参照）からの音声の制御を行っている。また、表示装置３０を制御するための表示制御装置（図示せず）は、ランプ制御装置及び音声制御装置と表示装置３０との間に取り付けられている。さらに、これらランプ制御装置３１Ａ及び音声制御装置３１Ｂの後方にメイン制御装置３１Ｃ（図３参照）が重ねられ、遊技板１１の後面から突出した支持体（図示せず）に固定されている。
【００３５】
一方、機構板アッシ８４Ａは、機構板８４に遊技球タンク５５，払出装置５６等を組み付けてなる。機構板８４は、全体として縦長の矩形状をなしかつ遊技板アッシ１１Ａに後方から重ねて配置される。機構板８４のうち遊技板１１との対向部分には、遊技板アッシ１１Ａにおける後方突出部分を受容するための矩形窓８４Ｗが貫通形成されている。この矩形窓８４Ｗは、遊技板アッシ１１Ａの後方突出部分を収容可能な箱形カバー８４Ｃによって閉塞されている。
【００３６】
機構板アッシ８４Ａの後面のうち矩形窓８４Ｗの上側には、遊技球を貯留する遊技球タンク５５が組み付けられている。また、矩形窓８４Ｗの一側方には払出装置５６が設けられ、さらに、矩形窓８４Ｗの下方には払出制御装置５７と電源装置５８とが設けられている。なお、払出装置５６は、遊技球タンク５５から遊技球誘導レール５５Ｒを通して遊技球を受け取り、払出制御装置５７からの指令に応じて遊技球を払い出す。
【００３７】
遊技枠体８０は、外枠８２に前面枠９０を第１ヒンジ機構８０Ｈ（図１参照）にて連結してなる。外枠８２は、４つの木製の長板８３を縦長矩形状に接合して構成されている。一方、前面枠９０は、例えば合成樹脂で構成され、遊技板１１に対応した開口部９０Ｗを備えている。また、図１に示すように第１ヒンジ機構８０Ｈは、遊技枠体８０のうち一方の側部における上端部と下端部とに配置されている。これら第１ヒンジ機構８０Ｈは、前面枠９０を遊技枠体８０に対して上方にスライドすることで、図２に示すように前面枠９０側のヒンジ構成部９０Ｈと、外枠８２側のヒンジ構成部８２Ｈとに分かれ、これにより外枠８２から前面枠９０を離脱することができる。
【００３８】
前面枠９０の後面には、開口部９０Ｗを取り囲むように囲壁９０Ｖが形成され、その囲壁９０Ｖの内側に遊技板１１が嵌合して固定されている。また、機構板８４は、前面枠９０のうち第１ヒンジ機構８０Ｈを備えた側の側部に第２ヒンジ機構（図示せず）にて連結されている。
【００３９】
図４には、前面枠９０を前面から見た状態が示されている。その前面枠９０の前面上寄り位置には、図１に示したガラス枠９５が重ねて設けられている。ガラス枠９５は、前面枠９０のうち第１ヒンジ機構８０Ｈを備えた側の側部に図示しないヒンジ機構にて連結されている。また、ガラス枠９５には、略円形の窓９５Ｗが設けられ、ここにガラス板が嵌め込まれている。そして、このガラス板越しに遊技領域Ｒ１を視認することができる。また、ガラス枠９５の前面のうち窓９５Ｗより上側には、左右に１対のスピーカ１３，１３が設けられている。さらに、ガラス枠９５のうち窓９５Ｗの下方には、球抜きボタン２３が設けられている。
【００４０】
これらガラス枠９５と前面枠９０及び外枠８２は、遊技枠体８０における解錠装置８５（図４参照）により閉止状態に施錠される。なお、解錠装置８５のうち施錠・解錠操作を行うための操作部８５Ｓは、後述する角部カバー７１の外面に露出しており、それ以外の解錠装置８５全体は、ガラス枠９５及び前面枠９０によって前方を覆われている。
【００４１】
図１に示すように前面枠９０の前面のうちガラス枠９５の下方には、上皿２６を有した第１前面カバー２７が取り付けられている。上皿２６は、前方に向かって膨出しており、その上皿２６の右側には、球貸し操作ボタン２４と球貸し状態表示モニター２５とが並べて配置されている。
【００４２】
前面枠９０の前面のうち第１前面カバー２７より下側には、第２前面カバー２９が取り付けられている。第２前面カバー２９の前面中央には、パチンコ遊技機１０の前方に膨出した下皿２８が備えられている。そして、上記した球抜きボタン２３を押圧すると、上皿２６に貯留された遊技球が下皿２８に排出される。下皿２８には、ファール球等も貯留される。第２前面カバー２９のうち下皿２８の左側方には、遊技スイッチ５３が設けられている。この遊技スイッチ５３を押圧すると、液晶表示部３２で変動表示されている画像、例えば、キャラクタ画像を、遊技者の任意のタイミングで停止させることができる。また、下皿２８の右側方には、球排出ボタン５２が設けられている。この球排出ボタン５２を押圧すると、下皿２８に貯留された遊技球をパチンコ遊技機１０の外部に排出することができる。
【００４３】
図４に示すように、前面枠９０の前面のうち向かって右側下端部には、発射装置ユニット７０が固定されている。そして、前面枠９０の右下角部に固定された角部カバー７１（本発明に係る「カバー部材」に相当する）により発射装置ユニット７０の一部が覆われ、その角部カバー７１に備えた操作ノブ５０（本発明に係る「ハンドル部」に相当する）を回動操作することで、発射装置ユニット７０が作動して、遊技球が遊技領域Ｒ１に向けて弾き出される。
【００４４】
詳細には、発射装置ユニット７０は、前面枠９０の前面に重ねて取り付けられる板状のベース部材６５に、打撃槌６７、球供給装置４２等の複数の部品を組み付けてなる。図５に示すようにベース部材６５の下端部からは、一側方に向けてノブ対応突片６５Ａが張り出されている。また、ノブ対応突片６５Ａの前面には筒形支柱７２が取り付けられている。筒形支柱７２の軸心部には軸孔７２Ａが貫通しており、ベース部材６５にはその軸孔７２Ａの同心上に貫通孔（図示せず）が形成されている。そして、その貫通孔にノブ対応突片６５Ａの後面側から中継スリーブ７３が挿入されている。また、ノブ対応突片６５Ａ及び筒形支柱７２は、図６に示すように角部カバー７１によって前面側を覆われる。
【００４５】
中継スリーブ７３は、筒形支柱７２内に軸支された連結筒部７３Ｂ（図５参照）の一端に扇形の巻取盤７３Ａ（図７参照）を有してなる。その連結筒部７３Ｂの内側には、操作ノブ５０から延びた図示しない回動シャフトが挿入されて一体回転可能に連結されている。図７に示すように巻取盤７３Ａは、ベース部材６５の後面に一体形成されたストッパ６５Ｓによって回動範囲を規制されている。また、ベース部材６５の後面には、抜け止め蓋７３Ｃが巻取盤７３Ａを跨ぐようにしてベース部材６５に固定され、これにより中継スリーブ７３が抜け止めされている。
【００４６】
ベース部材６５の後面側のうち巻取盤７３Ａの側方には、弾発エレメント６２が取り付けられている。弾発エレメント６２は、図８に示すように、円筒スリーブ６２Ｔの両端部に回動リング６３と回動キャップ６４とを回動可能に軸支すると共に、円筒スリーブ６２Ｔの中間部分に挿通した捻りコイルバネ６６で回動リング６３と回動キャップ６４とを連結した構造になっている。そして、ベース部材６５の後面に座ぐって形成された円形凹部（図示せず）に円筒スリーブ６２Ｔの一端が嵌合固定され、回動リング６３がベース部材６５側に配置されている。
【００４７】
図７に示すように回動リング６３は前記した巻取盤７３Ａにワイヤ６２Ｗで連結されている。そのワイヤ６２Ｗは、その両端部が回動リング６３の周面と巻取盤７３Ａの周面とにそれぞれ沿わされ、中間部が回動リング６３と巻取盤７３Ａとの間に張られている。これにより、操作ノブ５０（図４参照）の操作に連動して、回動キャップ６４が回動し、捻りコイルバネ６６の捻れ量が変更される。
【００４８】
回動キャップ６４には、側方に張り出したトルクアーム６４Ａが備えられ、そのトルクアーム６４Ａの先端からベース部材６５に向かって摺接ボス６４Ｂが突出している。回動キャップ６４の中心部には、槌支軸６９が一体回転可能に固定され、その槌支軸６９がベース部材６５を貫通し、ベース部材６５の前面側に突出している。また、ベース部材６５には、前記円筒スリーブ６２Ｔを嵌合固定した円形凹部（図示せず）の内側に、ベアリング嵌合孔（図示せず）が貫通形成され、そこに嵌合したベアリング（図示せず）により槌支軸６９が回転可能に支持されている。そして、ベース部材６５の前面側から槌支軸６９に、打撃槌６７が取り付けられている。
【００４９】
図８に示すように打撃槌６７は、ベース部材６５の前面と平行になって斜め上下方向に延びた本体部６７Ｈを有し、その本体部６７Ｈの下端寄り位置には、取付孔（図示せず）が形成されている。そして、槌支軸６９のうちベース部材６５の前面側に突出した部分（図５参照）を、ワッシャ（図示せず）、打撃槌６７の取付孔、スプリングワッシャ（図示せず）に順番に挿通して、槌支軸６９の先端に形成された螺子部にナットＮ１（図５参照）が締め付けられている。これにより、打撃槌６７が槌支軸６９に固定されている。
【００５０】
図５に示すように本体部６７Ｈの上端部には、回動方向に槌先端部６７Ｓが突出している。詳細には、本体部６７Ｈの上端部は、湾曲して先端面が筒形支柱７２と反対側を向いている。そして、その先端面に、図示しないピン孔が形成され、そこに打撃ピン６７Ｐが圧入されると共に、その打撃ピン６７Ｐの外側に打撃スプリング６７Ｃが嵌合固定されている。そして、これら打撃ピン６７Ｐと打撃スプリング６７Ｃとから本発明に係る槌先端部６７Ｓが構成されている。
【００５１】
なお、打撃スプリング６７Ｃは、コイル形状をなし、そのコイル径が先端側に向かって徐々に小さくなっている。また、その打撃スプリング６７Ｃの先端面が、巻回軸方向と直交した平坦面になるように加工されている。
【００５２】
ベース部材６５の前面のうち打撃槌６７を挟んで筒形支柱７２と反対側には、槌ストッパ７４が取り付けられている。槌ストッパ７４は、樹脂ボディ７４Ａに円形ゴム７４Ｂを固定してなり、その円形ゴムが打撃槌６７における長手方向の中間部に当接して打撃槌６７を打撃位置に停止させる。
【００５３】
ベース部材６５の前面のうち打撃槌６７との間で槌ストッパ７４を挟む位置には、打撃用モータ７５が取り付けられている。そして、打撃槌６７は、この打撃用モータ７５の駆動力を後述するカム機構を介して受けて槌ストッパ７４に接離するように往復回動し、打撃槌６７が槌ストッパ７４側に移動したときに遊技球を弾く。
【００５４】
図９に示すようにベース部材６５の前面のうち槌ストッパ７４及び打撃用モータ７５の上方には、レール取付溝６５Ｄが形成されている。レール取付溝６５Ｄは、ベース部材６５のうちノブ対応突片６５Ａと反対側の側縁の上端部で側方に開放しており、その開放口から槌ストッパ７４の上側部分に向かって一定の幅で斜め下方に延びている。また、レール取付溝６５Ｄの下端部からは、レール取付溝６５Ｄと直交する斜め上方に分岐溝６５Ｅが連続して延びている。分岐溝６５Ｅは、レール取付溝６５Ｄと同じ深さでレール取付溝６５Ｄより幅狭になっている。
【００５５】
レール取付溝６５Ｄには、発射レール４０（本発明に係る「誘導路付レール部」に相当する）が取り付けられている。発射レール４０は、板金（例えば、ステンレス製）を断面略Ｍ字形に屈曲してなり、互いに対向した１対の板金側壁部４０Ａ，４０Ｂと、それら板金側壁部４０Ａ，４０Ｂの上縁部間でＶ字状になった誘導壁４０Ｃとを備えている。また、発射レール４０は、レール取付溝６５Ｄの長手方向全体に亘って延びている。図１０には、ベース部材６５及び発射レール４０の断面図が示されている。同図に示すように、発射レール４０の幅は、遊技球１つ分より僅かに大きくなっている。そして、一方の板金側壁部４０Ａが、ベース部材６５におけるレール取付溝６５Ｄの奥面に宛がわれると共に、レール取付溝６５Ｄの下縁部側に偏在した状態に配置され、誘導壁４０Ｃの上面（本発明に係る「誘導路」に相当する）とレール取付溝６５Ｄの上縁部との間に遊技球１つ分の間隔が開けられている。
【００５６】
一方の板金側壁部４０Ａには、長手方向の両端寄り位置に、図１０に示した位置決貫通孔４０Ｈが貫通成形されている。これらに対応して、他方の板金側壁部４０Ｂには、両位置決貫通孔４０Ｈとの対向位置に、位置決貫通孔４０Ｈより小径の螺子挿通孔４０Ｊが貫通成形されている。これに対応して、レール取付溝６５Ｄの奥面における長手方向の両端部からは、取付支柱６５Ｔがそれぞれ突出している。取付支柱６５Ｔは、ベース部材６５に一体成形され、先端に向かうに従ってテーパー状に縮径している。また、取付支柱６５Ｔの軸心部は空洞になっており、取付支柱６５Ｔの先端部内周面に雌螺子部６５Ｕが形成されている。そして、各取付支柱６５Ｔが、一方の板金側壁部４０Ａにおける各位置決貫通孔４０Ｈを挿通されると共に、取付支柱６５Ｔの先端面が、他方の板金側壁部４０Ｂの内側から螺子挿通孔４０Ｊの開口縁に対向している。この状態で、取付支柱６５Ｔの雌螺子部６５Ｕに、他方の板金側壁部４０Ｂの外側から螺子４０Ｎが螺合されている。これにより、他方の板金側壁部４０Ｂが、螺子４０Ｎのヘッド部と取付支柱６５Ｔの先端面とに挟まれて固定され、一方の板金側壁部４０Ａが取付支柱６５Ｔの基端部によって位置決めされかつ支持されている。また、本実施形態では、ベース部材６５におけるレール取付溝６５Ｄの奥面に発射レール４０の一側面を宛がって固定したので、ベース部材６５からの発射レール４０の突出量を抑えることができる。
【００５７】
図１１に示すように分岐溝６５Ｅには、球停止部材４１が取り付けられている。球停止部材４１は、図７に示すように断面台形の角筒構造をなし、球停止部材４１の一端に備えた底壁（図示せず）の底壁中心部を貫通した螺子４１Ｎによりベース部材６５に固定されている。また、底壁からは、螺子４１Ｎを挟んだ両側に１対の突起４１Ｐ，４１Ｐが突出しており、これら突起４１Ｐ，４１Ｐがベース部材６５に貫通成形した位置決め孔に嵌合されている。
【００５８】
図９に示すように球停止部材４１は、互いに平行になった１対の側壁面４１Ａ，４１Ａが、発射レール４０の長手方向で対向するように配置され、一方の側壁面４１Ａが発射レール４０の下端面に対して略面一になっている。また、両側壁面４１Ａ，４１Ａの間で傾斜したテーパー面４１Ｂが、発射レール４０の下端部に上方から臨んでおり、テーパー面４１Ｂと発射レール４０の上面との間隔が、斜め下方に向かうに従って徐々に狭くなっている。そして、発射レール４０上に遊技球（図７の符号Ｙ）が供給されると、その遊技球が自重により発射レール４０の下端側に転動して球停止部材４１のテーパー面４１Ｂに当接し発射レール４０上の打撃待機位置に停止する。このとき、遊技球は、図１１に示すように発射レール４０の誘導壁４０ＣにおけるＶ字形底面によって誘導壁４０Ｃの幅方向の中心に配置されると共に、発射レール４０の下端側に向かうに従って徐々に接近する球停止部材４１のテーパー面４１Ｂ（図７参照）により、遊技球の上下方向の跳ね上がりが抑えられる。これにより、遊技球が安定して発射レール４０の打撃待機位置に停止する。また、前記した打撃槌６７が槌ストッパ７４に当接して打撃位置に移動すると、打撃槌６７の槌先端部６７Ｓが球停止部材４１と発射レール４０との間隙部に突入して、打撃待機位置の遊技球を弾く。これにより、遊技球が発射レール４０に沿って斜め上方に向けて発射される。
【００５９】
なお、前記した誘導レール１２の端部は、発射レール４０の延長線から若干下方にオフセットした位置に配置されており、発射装置ユニット７０から発射された遊技球が誘導レール１２により遊技領域Ｒ１へと案内される。
【００６０】
図８に示すようにベース部材６５の前面側には、発射レール４０、球停止部材４１に重ねて球供給装置４２が取り付けられている。球供給装置４２は、透明な樹脂製のケース体４２Ｃの内部に、図１２に示した従動部材４６と開閉部材４５とを収容している。ケース体４２Ｃは、ケース本体４４にケース蓋４３を組み付けてなる。ケース本体４４は、ベース部材６５と平行なベース対向壁４４Ａを有し、そのベース対向壁４４Ａの外縁部から前側（ベース部材６５から離れる側）に包囲壁４４Ｂを起立してその内側に収容空間を備えている。
【００６１】
ケース蓋４３は、包囲壁４４Ｂの前面開口全体を覆う略平板状をなしている。また、ケース蓋４３の一側縁部とケース本体４４の一側縁部との間にはヒンジ機構４３Ｈ（図５参照）が備えられ、その一側縁部を中心にケース蓋４３が開閉可能になっている。さらに、ケース蓋４３とケース本体４４との間には、ヒンジ機構４３Ｈと反対側の縁部に係止機構４３Ｋ（図５参照）が備えられ、この係止機構４３Ｋによってケース蓋４３が閉止状態に保持されている。
【００６２】
ケース本体４４におけるベース対向壁４４Ａの後面側には、上縁部と両側縁部の一部とから後方に向けて嵩上げ壁４４Ｃが起立している。また、ベース対向壁４４Ａにおける一方の側縁部の嵩上げ壁４４Ｃの先端からロック片４４Ｄ（図７参照）が延設されている。さらに、ベース対向壁４４Ａの他方の側縁部側の上側角部には、包囲壁４４Ｂより外側に取付壁４４Ｅ（図１２参照）が張り出され、その取付壁４４Ｅをナイラッチ４４Ｆが前後方向に貫通している。
【００６３】
これに対し、ベース部材６５には、図９に示すように、ノブ対応突片６５Ａが張り出された側の上端角部に、ラッチ孔６５Ｈが形成されると共に、反対側の上端角部寄り位置に、縦長の係止スリット６５Ｇが形成されている。そして、ケース本体４４のロック片４４Ｄを係止スリット６５Ｇに係止し、そのロック片４４Ｄを中心にしてケース本体４４を回動させてナイラッチ４４Ｆをラッチ孔６５Ｈに係止することで、嵩上げ壁４４Ｃの先端面がベース部材６５の前面に突き当てられた状態でケース本体４４がベース部材６５に固定されている。これにより、ベース対向壁４４Ａがベース部材６５から浮いた状態に保持されている。また、ベース対向壁４４Ａは、発射レール４０及び球停止部材４１からも浮いている。
【００６４】
図１３に示すようにベース対向壁４４Ａには、遊技球が１つ通過可能な球出口４４Ｇが貫通形成されている。また、ケース本体４４には、球出口４４Ｇの上側部分から発射レール４０と平行な斜め上方に向けて球供給路４４Ｈが延びている。さらに、ケース蓋４３には、球供給路４４Ｈの上端部に対応した位置に、遊技球が１つ通過可能な球入口４３Ａが貫通形成されている。そして、上皿２６から第１前面カバー２７の後面側に延びた図示しない球排出路が、球入口４３Ａを介してケース本体４４に連絡され、上皿２６からの遊技球が球供給路４４Ｈに供給される。
【００６５】
ケース本体４４には、球供給路４４Ｈの中間部分の下面から分岐した球排出路４４Ｋが設けられている。そして、開閉部材４５がケース本体４４のうち球供給路４４Ｈの下方に回動可能に軸支され、図１３及び図１４に示すように、その開閉部材４５の回動位置に応じて球供給路４４Ｈから球排出路４４Ｋへの分岐口４４Ｚが開閉される。また、開閉部材４５は、コイルバネ４５Ａによって分岐口４４Ｚを常には閉塞するように付勢されている。さらに、図１１に示すように開閉部材４５には、ケース蓋４３に向けて突出した操作突起４５Ｂが備えられ、この操作突起４５Ｂがケース蓋４３に形成された長孔４３Ｂを通して球供給装置４２から前方に突出している。そして、上記した球抜きボタン２３が操作突起４５Ｂに連結されている。これにより、球抜きボタン２３を操作すると、上皿２６に貯留された遊技球が下皿２８に排出される。
【００６６】
ベース対向壁４４Ａのうち球出口４４Ｇの上方には、カム連結孔４４Ｌが貫通成形されている。このカム連結孔４４Ｌに対応して、ベース部材６５には、図９に示すようにカム連結窓６５Ｃが貫通成形されている。また、ベース対向壁４４Ａのうち球出口４４Ｇ及びカム連結孔４４Ｌを挟んで球供給路４４Ｈと反対側の側部寄り位置からは、回動支軸４４Ｍが起立しており、ここに従動部材４６が回動可能に軸支されている。従動部材４６は、回動中心から球供給路４４Ｈ側に向かって広がった略扇形状をなした回動盤４６Ａと、その回動盤４６Ａの上面先端部から立ち上がって後方に延びた摺接突起４６Ｂとからなる。この摺接突起４６Ｂは、両カム連結孔４４Ｌ，６５Ｃを通過してベース部材６５の後面側まで延びている（図８参照）。
【００６７】
回動盤４６Ａのうち回動中心から離れた側の端面は、丸みを帯びてその一部が球供給路４４Ｈの下端開口４４Ｘに対向している。その回動盤４６Ａの端面における上下方向の中間位置には球受容部４６Ｃが陥没形成されている。球受容部４６Ｃは、回動盤４６Ａの板厚方向にも開放しており、その内面はベース対向壁４４Ａ側に向かって下っている。そして、回動盤４６Ａが往復ストロークの上端側に配置されたときに（図１３参照）、球受容部４６Ｃが球供給路４４Ｈの下端開口４４Ｘに対向して球供給路４４Ｈから遊技球を１つ受け取り、図１５に示すように回動盤４６Ａが往復ストロークの下端側に配置されたときに、球受容部４６Ｃの側面が球出口４４Ｇに対向し、その球出口４４Ｇを通して球受容部４６Ｃから発射レール４０の上に１つの遊技球が供給される。
【００６８】
なお、従動部材４６全体は、合成樹脂で構成され、球受容部４６Ｃの下方には、金属製のウエイト４６Ｄが組み込まれている。
【００６９】
図７に示すように、ベース部材６５の後面には、球供給装置４２と打撃槌６７とを同期させて駆動するためのカム機構が設けられている。具体的には、ベース部材６５の後面には、前記した打撃用モータ７５の回転軸が突出し、その回転軸にピニオンギヤ７６Ａが固定されている。そのピニオンギヤ７６Ａの斜め上方には、アイドルギヤ７６Ｂが回転可能に軸支され、ピニオンギヤ７６Ａに噛合している。また、ベース部材６５の後面のうちアイドルギヤ７６Ｂと、その斜め下方に位置した弾発エレメント６２との間には、打撃カムギヤ７６Ｃが回転可能に軸支され、アイドルギヤ７６Ｂに噛合している。さらに、アイドルギヤ７６Ｂを上下方向で間に挟んで打撃カムギヤ７６Ｃとほぼ対称な位置には、球供給カムギヤ７６Ｄが回転可能に軸支され、アイドルギヤ７６Ｂに噛合している。
【００７０】
アイドルギヤ７６Ｂは、全体として円板状になった平ギヤである。打撃カムギヤ７６Ｃは、円板形の平ギヤ部７６Ｃ１の一端面に打撃用カム７７を一体成形して備えている。球供給カムギヤ７６Ｄは、円板形の平ギヤ部７６Ｄ１の一端面に球供給用カム７８を一体成形して備えている。また、アイドルギヤ７６Ｂ、打撃カムギヤ７６Ｃ及び球供給カムギヤ７６Ｄは、共に合成樹脂の成形品であり、打撃カムギヤ７６Ｃと球供給カムギヤ７６Ｄとは、異なる色（例えば、水色と黒）の合成樹脂で成形され、これにより容易に両者を識別可能になっている。
【００７１】
打撃用カム７７は、回転軸方向から見ると全体が略半円形になっており、その略半円形の直線部分の一端部が平ギヤ部７６Ｃ１の中心部に配置され、他端部が平ギヤ部７６Ｃ１から外側に張り出している。詳細には、打撃用カム７７のうち前記略半円形の直線部分を構成する直線壁７７Ａは、平ギヤ部７６Ｃ１の回転中心を通過する線上に配置されている。また、平ギヤ部７６Ｃ１の中心部には円筒壁７７Ｃが起立しており、その円筒壁７７Ｃから直線壁７７Ａが立ち上がっている。さらに、略半円形の円弧部分を構成する円弧壁７７Ｂは、円筒壁７７Ｃのうち直線壁７７Ａの立ち上がり部分の反対側から緩やかに立ち上がって丸みを帯び、インボリュート曲線のように、徐々に曲率が大きくなって先端が円弧壁７７Ｂに繋がっている。
【００７２】
そして、この円弧壁７７Ｂの外周面に、弾発エレメント６２の摺接ボス６４Ｂが摺接することで、打撃用カム７７が槌ストッパ７４から離れるように回動する。このとき、弾発エレメント６２の回動キャップ６４と回動リング６３との間で捻りコイルバネ６６が捻れ変形し、弾発力が蓄えられる。そして、摺接ボス６４Ｂが打撃用カム７７の先端を通過すると、捻りコイルバネ６６の弾発力が解放されて摺接ボス６４Ｂが打撃用カム７７の直線壁７７Ａに沿って移動し、打撃槌６７が回動キャップ６４と共に急峻に回動して槌ストッパ７４に当接する打撃位置に至る。これにより、遊技球が発射される。
【００７３】
球供給用カム７８は、打撃用カム７７と同様の構造をなし、略半円形の直線部分を構成する直線壁７８Ａと円弧部分を構成する円弧壁７８Ｂとを備えている。また、円筒壁７８Ｃのうち直線壁７７Ａの立ち上がり部分の反対側からは平ギヤ部７６Ｄ１の外縁部まで接線壁７８Ｄが円筒壁７８Ｃの接線方向に延びており、その球供給カムギヤ７６Ｄの先端から円弧壁７８Ｂが直線壁７８Ａの先端まで円弧状に延びている。
【００７４】
そして、この円弧壁７８Ｂの外周面に、球供給装置４２の摺接突起４６Ｂが摺接することで、従動部材４６が上方に回動する。そして、摺接突起４６Ｂが球供給用カム７８のうち平ギヤ部７６Ｄ１から張り出した先端部を通過すると、従動部材４６の自重により摺接突起４６Ｂが球供給用カム７８の直線壁７８Ａに沿って下方に移動する。これにより、打撃槌６７の動作に同期して従動部材４６が上下に往復動し、球供給装置４２から発射レール４０上に遊技球が１球ずつ供給される。ここで、打撃槌６７が打撃位置から離れたタイミングで球供給装置４２から遊技球が供給されるように、打撃用カム７７と球供給用カム７８とがギヤ連結されている。そのために、アイドルギヤ７６Ｂの周縁部には、三角形突起ＭＫ１と丸形突起ＭＫ２とが間隔を開けて形成され、これらに対応させて打撃カムギヤ７６Ｃにおける平ギヤ部７６Ｃ１の周縁部には、三角形突起ＭＫ１が形成され、さらに、球供給カムギヤ７６Ｄにおける平ギヤ部７６Ｄ１の周縁部には、丸形突起ＭＫ２が形成されている。そして、三角形突起ＭＫ１，ＭＫ１同士を向かい合わせると共に、丸形突起ＭＫ２，ＭＫ２同士を向かい合わせてこれらギヤ７６Ｂ，７６Ｃ，７６Ｄを噛合させれば、上記のタイミングが図れられるようになっている。
【００７５】
さて、上記したベース部材６５はアルミダイキャストによる成形品であって、厚さは、例えば、３〜３．５ｍｍ程度になっている。そして、図１０に示すように前記したレール取付溝６５Ｄは、ベース部材６５の板厚のほぼ半分程度の深さになっている。また、図５に示すようにベース部材６５のうちノブ対応突片６５Ａを備えた側の側縁部において、レール取付溝６５Ｄの略延長線上には、本発明に係る調節用凹部６５Ｍが形成されている。図１６に示すようにこの調節用凹部６５Ｍは、ベース部材６５の板厚のほぼ半分程度の深さになっている。また、ベース部材６５は、全体として矩形状になっており、その一側辺がベース部材６５の側方に開放している。そして、打撃槌６７を槌ストッパ７４に当接した位置から若干後退させたときに、槌先端部６７Ｓの側面全体がこの調節用凹部６５Ｍに対向する。本実施形態の発射装置ユニット７０の構成は以上の通りである。また、ベース部材６５のうち上記した各部品を取り付けるための螺子孔を形成した部分は、調節用凹部６５Ｍの板厚の約倍になっている。これにより、ベース部材６５のうち螺子止め部分の強度が確保されている。
【００７６】
発射装置ユニット７０に関する構成の説明は以上である。次いで、角部カバー７１について説明する。図６に示すように、角部カバー７１は、互いに直角に交差した下縁部７１Ａと一側縁部７１Ｂとを有し、上方に向かうに従って左右方向の幅が狭くなる形状になっている。そして、角部カバー７１の下縁部７１Ａと一側縁部７１Ｂとを、前面枠９０の一角部における下縁部と一側縁部とに重ねた状態にして取り付けられている。
【００７７】
角部カバー７１の下側部分は、発射装置ユニット７０のうち打撃槌６７の回動中心に隣接した位置まで覆っている。また、角部カバー７１のうち発射装置ユニット７０側の側縁部７１Ｃは、上下方向の途中から緩やかに傾斜し、発射装置ユニット７０における調節用凹部６５Ｍをその対角線に沿って横切っている。さらに、その側縁部７１Ｃの中間部分からは三角突片７１Ｄが突出している。そして、角部カバー７１を前方から見ると、その三角突片７１Ｄの一辺がベース部材６５の一側縁部に重ねられ、前面枠９０の一角部においてベース部材６５により覆われていない部分を角部カバー７１が前方から覆っている。これにより、ベース部材６５より奥側に異物が入り込むことを防止している。
【００７８】
操作ノブ５０は、把持した状態で指がかかる部分に、始動スイッチを内蔵している。そして、操作ノブ５０を回動すると始動スイッチがオンして打撃用モータ７５が駆動される。
【００７９】
本実施形態に係るパチンコ遊技機１０の構成の説明は以上の通りである。次に、パチンコ遊技機１０の作用効果の説明を行う。パチンコ遊技機１０にて遊技を行う際には、操作ノブ５０を回動操作する。すると、打撃用カム７７及び球供給用カム７８とそれらの摺動部品とからなるカム機構が作動し、球供給装置４２から発射レール４０上に１つずつ遊技球が供給される度に、その球供給装置４２に同期して打撃槌６７が打撃動作を行い、打撃槌６７の槌先端部６７Ｓが遊技球に衝突して遊技球が弾かれ、発射レール４０及び誘導レール１２からなる本発明の「レール部材」によって遊技領域Ｒ１へと案内される。このとき、操作ノブ５０の回動量を変更することで、遊技球の発射力を変更することができる。そして、遊技領域Ｒ１を流下する遊技球の各種入賞口１４Ａ，１４Ｂ，１５，２０，２１，始動ゲート１８等への入球に応じて遊技が進行されていく。
【００８０】
遊技をスムーズに進行するには、発射装置ユニット７０から安定した軌道で遊技球を発射する必要がある。この点において、本実施形態の発射装置ユニット７０では、遊技球に衝突する槌先端部６７Ｓを備えた打撃槌６７と、遊技球を打撃待機位置に保持する発射レール４０とが共に同じベース部材６５に組み付けられているので、槌先端部６７Ｓと遊技球の中心との位置ずれも抑えられる。
【００８１】
ところで、発射装置ユニット７０を構成する部品精度のばらつきや組付誤差、或いは、遊技球の噛む込みにより打撃槌６７の変形等を要因として、槌先端部６７Ｓが遊技球の中心からずれる場合が起こり得る。このような場合、図１７に示した工具１００を用いて、打撃槌６７の本体部６７Ｈに対する槌先端部６７Ｓの角度調節を行う。この工具１００は、１対の挟持部１０１，１０１の対向部分に、半円形の挟持凹部１０２，１０２を備えている。そして、この工具１００の挟持凹部１０２，１０２に槌先端部６７Ｓを収まるようにして挟持し、打撃ピン６７Ｐを本体部６７Ｈに対して傾けるように力を加えて調節作業を行う。ここで、工具１００は、先端部の強度を確保するために、先端部が所定の肉厚Ｓ、例えば、約５．５ｍｍに形成されている。
【００８２】
そのために、槌先端部６７Ｓの全体が調節用凹部６５Ｍに対向する位置まで打撃槌６７を回動する。すると、図１６に示すように工具１００の先端が調節用凹部６５Ｍに突入して丁度槌先端部６７Ｓを挟持することができる。これにより、本体部６７Ｈに対して打撃ピン６７Ｐを所望な方向に傾動させて調節作業を行うことができる。
【００８３】
このように、本実施形態に構成によれば、ベース部材６５に形成した調節用凹部６５Ｍの深さ分だけ、ベース部材６５と槌先端部６７Ｓとの間の空間が広がるので、工具１００を用いた槌先端部６７Ｓの調整作業を従来より容易に行うことが可能になる。また、発射装置ユニット７０及び角部カバー７１が前面枠９０に固定されているので、遊技機本体８１を遊技枠体８０から外して新規なものに交換する際に、発射装置ユニット７０及び角部カバー７１を遊技枠体８０と共に流用することができる。
【００８４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８５】
（１）前記実施形態では、パチンコ遊技機１０に本発明を適用していたが、弾球遊技機であれば、アレンジボール等に備えてもよい。
【００８６】
（２）前記実施形態では、打撃用カム７７及び球供給用カム７８を打撃用モータ７５で回転させていたが、手動で回転させてもよい。
【００８７】
（３）前記実施形態では、槌先端部６７Ｓの角度調整を工具１００を用いて行ったが、槌先端部６７Ｓの角度調整を一般的な工具、例えばペンチ等を用いて行ってもよい。
【図面の簡単な説明】
【００８８】
【図１】本発明の一実施形態に係るパチンコ遊技機の正面図
【図２】パチンコ遊技機の分解斜視図
【図３】パチンコ遊技機の背面図
【図４】前面枠の正面図
【図５】発射装置ユニットの正面図
【図６】前面枠に取り付けた状態の発射装置ユニットの正面図
【図７】発射装置ユニットの背面図
【図８】発射装置ユニットの側面図
【図９】球供給装置を取り外した状態の発射装置ユニットの斜視図
【図１０】発射装置ユニットの部分断面図
【図１１】発射装置ユニットの斜視図
【図１２】球供給装置の分解斜視図
【図１３】ケース蓋を取り外した発射装置ユニットの部分拡大図
【図１４】ケース蓋を取り外した発射装置ユニットの部分拡大図
【図１５】ケース蓋を取り外した発射装置ユニットの部分拡大図
【図１６】調整作業中の発射装置ユニットの部分断面図
【図１７】（Ａ）挟持部を閉じた状態の工具の概略図、（Ｂ）挟持部を開いた状態の工具の概略図
【符号の説明】
【００８９】
１２    誘導レール（レール部）
４０    発射レール（誘導路付レール部）
４０Ａ，４０Ｂ    板金側壁部
４０Ｃ    誘導壁
４０Ｈ    位置決貫通孔
４０Ｊ    螺子挿通孔
４２    球供給装置
５０    操作ノブ（ハンドル部）
６５    ベース部材
６５Ｍ    調節用凹部
６５Ｔ    取付支柱
６７    打撃槌
６７Ｃ    打撃スプリング（コイルスプリング）
６７Ｐ    打撃ピン（ピン）
６７Ｓ    槌先端部
７１    角部カバー（カバー部材）
８０    遊技枠体
８１    遊技機本体
１００    工具
Ｒ１    遊技領域
【図１】
0004440870.tif 000002
【図２】
0004440870.tif 000003
【図３】
0004440870.tif 000004
【図４】
0004440870.tif 000005
【図５】
0004440870.tif 000006
【図６】
0004440870.tif 000007
【図７】
0004440870.tif 000008
【図８】
0004440870.tif 000009
【図９】
0004440870.tif 000010
【図１０】
0004440870.tif 000011
【図１１】
0004440870.tif 000012
【図１２】
0004440870.tif 000013
【図１３】
0004440870.tif 000014
【図１４】
0004440870.tif 000015
【図１５】
0004440870.tif 000016
【図１６】
0004440870.tif 000017
【図１７】
0004440870.tif 000018